(57)【要約】【課題】バッテリ残容量に関する情報を供給する際に、バッテリパックの保存環境を加味した補正を行う。【解決手段】残容量補正部１２１は温度センサー１２２から取得された保存温度および残容量保持部１２３に保持されているバッテリ残容量に基づいて単位補正量テーブル４１０を索引して、単位補正量を取得する。残容量補正部１２１は動作休止状態に移行する機能を備え、タイマー１２６からサンプリング時間の到来が通知される度に動作休止状態を解除して単位補正量を取得する。単位補正量は、累積補正量保持部１２５に累積補正量として累積されていく。残容量補正部１２１は、累積補正量保持部１２５に保持される累積補正量に基づいて残容量保持部１２３に保持されるバッテリ残容量を補正する。補正されたバッテリ残容量は電源側通信部１３０を介して電子機器側に出力される。【選択図】図３
2007240182.tif 000002
【特許請求の範囲】
【請求項１】
バッテリパックのバッテリ残容量を保持する残容量保持手段と、
前記バッテリパック内の温度を測定する温度測定手段と、
前記温度および前記バッテリ残容量に基づいて前記バッテリ残容量の補正量を生成して当該補正量によって補正されたバッテリ残容量を供給する残容量補正手段と
を具備することを特徴とするバッテリ残容量情報供給装置。
【請求項２】
前記温度および前記バッテリ残容量に対応してバッテリ残容量の単位時間当たりの補正量を単位補正量として保持する単位補正量テーブルをさらに具備し、
前記残容量補正手段は、前記温度および前記バッテリ残容量に基づいて前記単位補正量テーブルを索引することによって前記単位補正量を取得して前記バッテリ残容量の補正量として用いることを特徴とする請求項１記載のバッテリ残容量情報供給装置。
【請求項３】
前記単位時間を計時する計時手段をさらに具備し、
前記残容量補正手段は、前記計時手段によって前記単位時間が計時されるたびに前記バッテリ残容量の補正を行うことを特徴とする請求項２記載のバッテリ残容量情報供給装置。
【請求項４】
前記残容量補正手段は、所定条件下において動作休止状態に移行し、前記計時手段によって前記単位時間が計時されるたびに前記動作休止状態を解除して前記バッテリ残容量の補正を行うことを特徴とする請求項３記載のバッテリ残容量情報供給装置。
【請求項５】
前記単位補正量テーブルにおいて、前記温度が同等であれば前記バッテリ残容量が多いほど前記単位補正量は大きく、前記バッテリ残容量が同等であれば前記温度が高いほど前記単位補正量は大きいことを特徴とする請求項２記載のバッテリ残容量情報供給装置。
【請求項６】
前記残容量補正手段によって取得された単位補正量を累積して累積補正量として保持する累積補正量保持手段と、
前記累積補正量に対応してバッテリ残容量の正規化された補正量を正規化補正量として保持する正規化補正量テーブルとをさらに具備し、
前記残容量補正手段は、前記累積補正量に基づいて前記正規化補正量テーブルを索引することによって前記正規化補正量を取得して前記バッテリ残容量の補正量として用いることを特徴とする請求項２記載のバッテリ残容量情報供給装置。
【請求項７】
電源を供給する電源供給手段と、
前記電源供給手段のバッテリ残容量を保持する残容量保持手段と、
前記電源供給手段の温度を測定する温度測定手段と、
前記温度および前記バッテリ残容量に基づいて前記バッテリ残容量の補正量を生成して当該補正量によって補正されたバッテリ残容量を供給する残容量補正手段と、
前記残容量補正手段によって補正されたバッテリ残容量を電子機器に対して出力する通信手段と
を具備することを特徴とするバッテリパック。
【請求項８】
バッテリパックのバッテリ残容量を保持する残容量保持手段と、前記バッテリパック内の温度および前記バッテリ残容量に対応してバッテリ残容量の単位時間当たりの補正量を単位補正量として保持する単位補正量テーブルとを備えるバッテリパックにおいて、
前記バッテリパック内の温度を測定する手順と、
前記温度および前記バッテリ残容量に基づいて前記単位補正量テーブルを索引することによって前記単位補正量を取得する手順と、
前記単位補正量に基づいて前記バッテリ残容量を補正する手順と
を具備することを特徴とする残容量情報供給方法。
【請求項９】
バッテリパックのバッテリ残容量を保持する残容量保持手段と、前記バッテリパック内の温度および前記バッテリ残容量に対応してバッテリ残容量の単位時間当たりの補正量を単位補正量として保持する単位補正量テーブルとを備えるバッテリパックにおいて、
前記バッテリパック内の温度を測定する手順と、
前記温度および前記バッテリ残容量に基づいて前記単位補正量テーブルを索引することによって前記単位補正量を取得する手順と、
前記単位補正量に基づいて前記バッテリ残容量を補正する手順と
をコンピュータに実行させることを特徴とするプログラム。
【発明の詳細な説明】
【技術分野】
【０００１】
本発明は、バッテリパックに関し、特にバッテリ残容量を外部に出力するバッテリパック、および、その処理方法ならびに当該方法をコンピュータに実行させるプログラムに関する。
【背景技術】
【０００２】
ビデオカメラなどの電子機器では電源供給のためにバッテリパックが用いられる。このバッテリパックは、リチウムイオン電池、ニッケルカドミウム電池、ニッケル水素電池などの充電池（二次電池）を有し、充電されることによって繰り返し利用される。このバッテリパックとして、バッテリ残容量（放電電流積算残量）などを出力する機能を有するものが実現されている。
【０００３】
例えば、バッテリパックにおけるバッテリ残容量や電流および電圧などを電子機器に対して出力し、これらに基づいて電子機器側でバッテリの残時間を計算する技術が提案されている（例えば、特許文献１参照。）。電子機器側でバッテリの残時間を計算するためには、バッテリセルに依存するパラメータが必要であるが、このパラメータはバッテリパックの出荷時に設定される。電子機器はこのパラメータを受信することにより、バッテリの残時間を分単位で計算することができる。
【０００４】
このバッテリパックは、劣化によりバッテリ容量が低下し、使用できる時間が短くなることが知られている。このバッテリの劣化の要因としては、充放電を繰り返すことによるサイクル劣化と、バッテリ周辺の温度による影響が挙げられる。そこで、従来は、バッテリパックのサイクル劣化およびバッテリ使用時の温度を考慮してバッテリ残容量を補正して、その補正されたバッテリ残容量をバッテリパックから電子機器に出力する技術が提案されている（例えば、特許文献２参照。）。
【特許文献１】特開平９−２９７１６６号公報（図１）
【特許文献２】特開２００５−１４７８１５号公報（図１）
【発明の開示】
【発明が解決しようとする課題】
【０００５】
上述の従来技術では、バッテリパックが使用されている際の温度を測定して、その使用温度と充放電回数の関係からバッテリ残容量を補正している。しかしながら、バッテリの劣化は、使用時だけでなく、使用されずに保存されている間にも進行し得る。したがって、より正確なバッテリ残容量の情報を供給するためにはバッテリパックの保存環境を考慮した補正が必要となる。
【０００６】
そこで、本発明は、バッテリ残容量に関する情報を供給する際に、バッテリパックの保存環境を加味した補正を行うことを目的とする。
【課題を解決するための手段】
【０００７】
本発明は、上記課題を解決するためになされたものであり、その第１の側面は、バッテリパックのバッテリ残容量を保持する残容量保持手段と、上記バッテリパック内の温度を測定する温度測定手段と、上記温度および上記バッテリ残容量に基づいて上記バッテリ残容量の補正量を生成して当該補正量によって補正されたバッテリ残容量を供給する残容量補正手段とを具備することを特徴とするバッテリ残容量情報供給装置である。これにより、バッテリ残容量を供給する際にバッテリパックの保存環境を考慮した補正を実行させるという作用をもたらす。
【０００８】
また、この第１の側面において、上記温度および上記バッテリ残容量に対応してバッテリ残容量の単位時間当たりの補正量を単位補正量として保持する単位補正量テーブルをさらに具備し、上記残容量補正手段が上記温度および上記バッテリ残容量に基づいて上記単位補正量テーブルを索引することによって上記単位補正量を取得して上記バッテリ残容量の補正量として用いるようにしてもよい。これにより、バッテリ特性に応じた単位補正量を単位補正量テーブルに設定しておいて、バッテリパックの保存環境に沿った単位補正量を取得させるという作用をもたらす。
【０００９】
また、この第１の側面において、上記単位時間を計時する計時手段をさらに具備し、上記計時手段によって上記単位時間が計時されるたびに上記残容量補正手段が上記バッテリ残容量の補正を行うようにしてもよい。この場合、上記残容量補正手段は、所定条件下において動作休止状態に移行し、上記計時手段によって上記単位時間が計時されるたびに上記動作休止状態を解除して上記バッテリ残容量の補正を行うようにしてもよい。これにより、バッテリパック内のマイクロコントローラ等を常時動作させることなく、バッテリ残容量の補正を実行させるという作用をもたらす。
【００１０】
また、この第１の側面において、上記単位補正量テーブルにおいて、上記温度が同等であれば上記バッテリ残容量が多いほど上記単位補正量は大きく、上記バッテリ残容量が同等であれば上記温度が高いほど上記単位補正量は大きくなるように設定してもよい。
【００１１】
また、この第１の側面において、上記残容量補正手段によって取得された単位補正量を累積して累積補正量として保持する累積補正量保持手段と、上記累積補正量に対応してバッテリ残容量の正規化された補正量を正規化補正量として保持する正規化補正量テーブルとをさらに具備し、上記残容量補正手段は、上記累積補正量に基づいて上記正規化補正量テーブルを索引することによって上記正規化補正量を取得して上記バッテリ残容量の補正量として用いるようにしてもよい。これにより、累積補正量を段階的に正規化した正規化補正量によってバッテリ残容量の補正を実行させるという作用をもたらす。
【００１２】
また、本発明の第２の側面は、電源を供給する電源供給手段と、上記電源供給手段のバッテリ残容量を保持する残容量保持手段と、上記電源供給手段の温度を測定する温度測定手段と、上記温度および上記バッテリ残容量に基づいて上記バッテリ残容量の補正量を生成して当該補正量によって補正されたバッテリ残容量を供給する残容量補正手段と、上記残容量補正手段によって補正されたバッテリ残容量を電子機器に対して出力する通信手段とを具備することを特徴とするバッテリパックである。これにより、バッテリ残容量を供給する際にバッテリパックの保存環境を考慮した補正を実行させるという作用をもたらす。
【００１３】
また、本発明の第３の側面は、バッテリパックのバッテリ残容量を保持する残容量保持手段と、上記バッテリパック内の温度および上記バッテリ残容量に対応してバッテリ残容量の単位時間当たりの補正量を単位補正量として保持する単位補正量テーブルとを備えるバッテリパックにおいて、上記バッテリパック内の温度を測定する手順と、上記温度および上記バッテリ残容量に基づいて上記単位補正量テーブルを索引することによって上記単位補正量を取得する手順と、上記単位補正量に基づいて上記バッテリ残容量を補正する手順とを具備することを特徴とする残容量情報供給方法もしくはこれら手順をコンピュータに実行させることを特徴とするプログラムである。これにより、バッテリ残容量を供給する際にバッテリパックの保存環境を考慮した補正を実行させるという作用をもたらす。
【発明の効果】
【００１４】
本発明によれば、バッテリ残容量に関する情報を供給する際に、バッテリパックの保存環境を加味した補正を行うことができるという優れた効果を奏し得る。
【発明を実施するための最良の形態】
【００１５】
次に本発明の実施の形態について図面を参照して詳細に説明する。
【００１６】
図１は、本発明の実施の形態におけるバッテリパック１００とビデオカメラ２００の関係を示す図である。バッテリパック１００は、使用時においてはビデオカメラ２００に装着されて、電源を供給するものである。ビデオカメラ２００は、電子機器の一例であり、バッテリパック１００によって電源が供給されるものであれば特に限定されるものではない。
【００１７】
バッテリパック１００は、電源部１１０と、残容量情報供給部１２０と、電源側通信部１３０とを備える。電源部１１０は、バッテリセルを含む電源回路である。残容量情報供給部１２０は、電源部１１０におけるバッテリ残容量（放電電流積算残量）に関する情報を供給するものである。電源側通信部１３０は、ビデオカメラ２００との間の通信を行うものである。
【００１８】
ビデオカメラ２００は、表示部２１０と、残時間算出部２２０と、装置側通信部２３０とを備える。装置側通信部２３０は、バッテリパック１００との間の通信を行うものであり、バッテリ残容量に関する情報などを受信する。残時間算出部２２０は、バッテリ残容量に関する情報などに基づいてビデオカメラ２００が動作可能なバッテリの残時間を算出するものである。表示部２１０は、撮影されたモニター画像を表示するものであり、例えばＬＣＤ（Liquid Crystal Display）により実現される。また、表示部２１０には、バッテリの残時間が、例えばＯＳＤ（on-screen display）機能により表示される。
【００１９】
バッテリパック１００の放電時間に対する放電電流の積算量は、一定の消費電力で放電された場合にはほぼ時間に比例する。この性質を利用して、残時間算出部２２０は、バッテリパック１００から供給される放電電流積算量、電圧、電流およびバッテリに依存するパラメータを受信して、電圧および電流から消費電力を計算し、これらの情報およびビデオカメラ２００に依存するパラメータに基づいてバッテリ終止までの残時間を算出する。したがって、残容量情報供給部１２０から供給される放電電流積算量は高い精度を有することが要求される。そこで、本発明の実施の形態では、バッテリパック１００の残容量情報供給部１２０において、バッテリパック１００の保存環境に応じたバッテリ残容量の補正を行う。
【００２０】
図２は、本発明の実施の形態におけるバッテリパック１００の電源部１１０の構成例を示す図である。この電源部１１０は、バッテリセル１１１と、電流検出抵抗１１２と、電源周辺回路１１３と、スイッチ１１４および１１５とを備えている。
【００２１】
バッテリセル１１１は充電池であり、例えば、リチウムイオン電池、ニッケルカドミウム電池、ニッケル水素電池、リチウムポリマーバッテリセルなどを用いることができる。バッテリセル１１１の負極側に接続される電流検出抵抗１１２は、バッテリセル１１１に流れる電流を検出するための抵抗である。
【００２２】
電源周辺回路１１３は、電圧比較器（コンパレータ）を主とした回路構成になっており、電流検出抵抗１１２に流れる充放電電流値を検出する機能や、過充電、過放電または可電流からバッテリセル１１１を保護する機能を有する。
【００２３】
スイッチ１１４は充電制御スイッチである。バッテリセル１１１の電圧が設定電圧を超えると、電源周辺回路１１３はスイッチ１１４をオフにすることによって、充電を停止して過充電を防止する。スイッチ１１５は放電制御スイッチである。バッテリセル１１１の電圧が設定電圧を下回ると、電源周辺回路１１３はスイッチ１１５をオフにすることによって、放電を停止して過放電を防止する。スイッチ１１４および１１５は、それぞれパワーＭＯＳＦＥＴ（Metal Oxide Semiconductor Field Effect Transistor）およびダイオードによって実現される。
【００２４】
図３は、本発明の実施の形態におけるバッテリパック１００の残容量情報供給部１２０の構成例を示す図である。残容量情報供給部１２０は、残容量補正部１２１と、温度センサー１２２と、残容量保持部１２３と、補正量テーブル１２４と、累積補正量保持部１２５と、タイマー１２６とを備えている。
【００２５】
残容量補正部１２１は、バッテリパック１００の保存環境に応じてバッテリ残容量の補正を行うものであり、例えばマイクロコントローラ（以下、マイコンという。）やＡＳＩＣ（Application Specific Integrated Circuit）により実現される。温度センサー１２２は、バッテリパック内の温度を測定するものであり、例えばサーミスタにより実現される。この温度センサー１２２は電源部１１０のバッテリセル１１１の表面や近傍の基板上に搭載される。残容量保持部１２３は、残容量補正部１２１により補正される前のバッテリ残容量を保持するものであり、例えばＥＥＰＲＯＭ（Electronically Erasable and Programmable Read Only Memory）などの不揮発性メモリにより実現される。
【００２６】
補正量テーブル１２４は、バッテリ残容量の補正を行うための補正量を保持するものであり、例えばＥＥＰＲＯＭなどの不揮発性メモリにより実現される。この補正量テーブル１２４としては、後述のように、バッテリ残容量と温度に対応して単位補正量を保持する単位補正量テーブル４１０や、単位補正量を累積した累積補正量に対応してそれを正規化した正規化補正量を保持する正規化補正量テーブル４２０が含まれる。
【００２７】
累積補正量保持部１２５は、残容量補正部１２１によって取得された単位補正量を加算していくことによって累積された累積補正量を保持するものであり、例えばＥＥＰＲＯＭなどの不揮発性メモリにより実現される。
【００２８】
タイマー１２６は、サンプリング時間を計時する周期タイマーであり、マイコン内部のタイマーや専用のウェークアップ回路により実現することができる。サンプリング時間はバッテリパック１００の特性や使用態様等に応じて、例えば１秒程度から１時間程度の時間を適宜定めることができる。
【００２９】
残容量補正部１２１は、タイマー１２６によって計時されるサンプリング時間に合わせて、温度センサー１２２による温度および残容量保持部１２３に保持されるバッテリ残容量を取得する。そして、残容量補正部１２１は、その温度およびバッテリ残容量に基づいて単位補正量テーブル４１０を索引することによって単位補正量を取得する。このようにして取得された単位補正量は、累積補正量保持部１２５の内容に加算される。
【００３０】
バッテリパック１００がビデオカメラ２００に電源を供給していない等の所定条件下では、残容量補正部１２１は動作休止（スリープ）状態に移行することができる。すなわち、残容量補正部１２１は動作休止状態では通常の動作を休止し、タイマー１２６からサンプリング時間の到来が通知される度に動作休止状態を解除して上述の単位補正量の取得動作を行う。このような動作休止状態を用いて、必要なときのみ単位補正量の取得動作を行うことにより、バッテリパック１００の電力消費を必要最低限に抑止することができる。
【００３１】
バッテリパック１００がビデオカメラ２００に接続されて電源を供給している場合には、残容量補正部１２１は、残容量保持部１２３に保持されたバッテリ残容量から累積補正量保持部１２５に保持された補正量を減じた値を現在のバッテリ残容量として、電源側通信部１３０を介してビデオカメラ２００に出力する。また、その際、累積補正量保持部１２５に保持された補正量をそのまま使用せずに、後述のように、正規化補正量テーブル４２０により正規化された補正量を使用してもよい。
【００３２】
図４は、本発明の実施の形態における単位補正量テーブル４１０の構成例を示す図である。この単位補正量テーブル４１０は、温度およびバッテリ残容量に対応してバッテリ残容量の単位時間当たりの補正量を単位補正量として保持するテーブルであり、補正量テーブル１２４に保持される。
【００３３】
バッテリ容量はバッテリの劣化によって低下することが知られているが、本発明の実施の形態では、バッテリパック１００が使用されていない状態、すなわち保存状態において単位時間毎に劣化する度合いを単位補正量として定義して、単位補正量テーブル４１０に保持する。
【００３４】
単位補正量はバッテリパックの特性に応じて定めることができる。この単位補正量を定める指標としては、以下のものが考えられる。まず、１つ目として、保存時のバッテリ残容量が同等であれば、保存温度が高いほど劣化する度合いが高くなる傾向にあることが挙げられる。また、２つ目として、保存温度が同等であれば、保存時のバッテリ残容量が多いほど劣化する度合いが高くなる傾向にあることが挙げられる。したがって、保存温度が同等であれば保存時のバッテリ残容量が多いほど単位補正量は大きくなり、保存時のバッテリ残容量が同等であれば保存温度が高いほど単位補正量は大きくなる。
【００３５】
図４の例では、保存時のバッテリ残容量を全容量の半分未満と半分以上の２区間に分け、それぞれの保存温度を「６０度以上」、「４５℃以上６０度未満」、「２５℃以上４５℃未満」「２５℃未満」の４区間に分けて、単位補正量を定めている。ここで、上の指標に従うと、この例では「単位補正量Ｄ＜単位補正量Ｃ＜単位補正量Ｂ＜単位補正量Ａ」、「単位補正量Ｈ＜単位補正量Ｇ＜単位補正量Ｆ＜単位補正量Ｅ」であり、「単位補正量Ａ＜単位補正量Ｅ」、「単位補正量Ｂ＜単位補正量Ｆ」、「単位補正量Ｃ＜単位補正量Ｇ」、「単位補正量Ｄ＜単位補正量Ｈ」となる。
【００３６】
図５は、本発明の実施の形態における正規化補正量テーブル４２０の構成例を示す図である。この正規化補正量テーブル４２０は、累積補正量に対応してバッテリ残容量の正規化された補正量を正規化補正量として保持するテーブルであり、補正量テーブル１２４に保持される。
【００３７】
単位補正量テーブル４１０から取得された単位補正量は累積補正量保持部１２５に累積補正量として累積される。バッテリ残容量の補正には、この累積補正量をそのまま利用することも可能であるが、累積補正量を段階的に正規化して利用してもよい。正規化補正量テーブル４２０は累積補正量に応じて正規化された正規化補正量を保持するものである。
【００３８】
例えば、図５の例では、累積補正量がｐ未満であれば補正量は正規化補正量Ｐ、累積補正量がｐ以上ｏ未満であれば補正量は正規化補正量Ｏ、累積補正量がｏ以上ｎ未満であれば補正量は正規化補正量Ｎ、累積補正量がｎ以上ｍ未満であれば補正量は正規化補正量Ｍ、累積補正量がｍ以上ｌ未満であれば補正量は正規化補正量Ｌ、累積補正量がｌ以上ｋ未満であれば補正量は正規化補正量Ｋ、累積補正量がｋ以上ｊ未満であれば補正量は正規化補正量Ｊ、累積補正量がｊ以上ｉ未満であれば補正量は正規化補正量Ｉとなる。但し、ｉ乃至ｐはそれぞれ実数を表す。
【００３９】
残容量補正部１２１は、累積補正量に基づいて正規化補正量テーブル４２０を索引することにより正規化補正量を取得し、残容量保持部１２３に保持されたバッテリ残容量から正規化補正量を減じることにより補正を行う。
【００４０】
次に本発明の実施の形態におけるバッテリパック１００の動作について図面を参照して説明する。
【００４１】
図６は、本発明の実施の形態によるバッテリパック１００の保存状態における処理手順例を示す図である。まず、累積補正量保持部１２５に保持される累積補正量がゼロに初期化される（ステップＳ９１１）。そして、タイマー１２６によってサンプリング時間が計時されるたびに（ステップＳ９１２）、以下の処理が行われる。
【００４２】
サンプリング時間が到来すると、温度センサー１２２からバッテリパック１００内の温度が取得される（ステップＳ９１３）。残容量補正部１２１は、温度センサー１２２から取得された温度および残容量保持部１２３に保持されているバッテリ残容量に基づいて単位補正量テーブル４１０を索引して、単位補正量を取得する（ステップＳ９１４）。この単位補正量は、累積補正量保持部１２５に累積補正量として累積されていく（ステップＳ９１５）。
【００４３】
このとき、残容量補正部１２１は、累積補正量によって正規化補正量テーブル４２０を索引することにより、累積補正量を正規化補正量に正規化してもよい（ステップＳ９１６）。
【００４４】
そして、残容量補正部１２１は、累積補正量保持部１２５に保持される累積補正量もしくは正規化補正量によって、残容量保持部１２３に保持されるバッテリ残容量を補正する（ステップＳ９１７）。このようにして補正されたバッテリ残容量は、ビデオカメラ２００などの電子機器に接続されている場合には（ステップＳ９１８）、電源側通信部１３０を介して電子機器側に出力される（ステップＳ９１９）。
【００４５】
このように、本発明の実施の形態によれば、保存温度およびバッテリ残容量によって単位補正量テーブル４１０を索引することにより取得された単位補正量を、累積補正量保持部１２５に累積し、この累積された補正量に基づいてバッテリ残容量を補正することにより、バッテリパックの保存環境に沿ったバッテリ残容量を供給することができる。
【００４６】
また、本発明の実施の形態によれば、残容量補正部１２１を動作休止状態に移行させ、タイマー１２６からサンプリング時間の到来が通知される度に動作休止状態を解除して単位補正量を取得させることにより、バッテリパック１００の電力消費を必要最低限に抑止することができる。
【００４７】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００４８】
すなわち、請求項１において、残容量保持手段は例えば残容量保持部１２３に対応する。また、温度測定手段は例えば温度センサー１２２に対応する。また、残容量補正手段は例えば残容量補正部１２１に対応する。
【００４９】
また、請求項２において、単位補正量テーブルは例えば単位補正量テーブル４１０に対応する。
【００５０】
また、請求項３において、計時手段は例えばタイマー１２６に対応する。
【００５１】
また、請求項６において、累積補正量保持手段は例えば累積補正量保持部１２５に対応する。また、正規化補正量テーブルは例えば正規化補正量テーブル４２０に対応する。
【００５２】
また、請求項７において、電源供給手段は例えば電源部１１０に対応する。また、残容量保持手段は例えば残容量保持部１２３に対応する。また、温度測定手段は例えば温度センサー１２２に対応する。また、残容量補正手段は例えば残容量補正部１２１に対応する。また、通信手段は例えば電源側通信部１３０に対応する。
【００５３】
また、請求項８または９において、バッテリパック内の温度を測定する手順は例えばステップＳ９１３に対応する。また、温度およびバッテリ残容量に基づいて単位補正量テーブルを索引することによって単位補正量を取得する手順は例えばステップＳ９１４に対応する。また、単位補正量に基づいてバッテリ残容量を補正する手順は例えばステップＳ９１７に対応する。
【００５４】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００５５】
【図１】本発明の実施の形態におけるバッテリパック１００とビデオカメラ２００の関係を示す図である。
【図２】本発明の実施の形態におけるバッテリパック１００の電源部１１０の構成例を示す図である。
【図３】本発明の実施の形態におけるバッテリパック１００の残容量情報供給部１２０の構成例を示す図である。
【図４】本発明の実施の形態における単位補正量テーブル４１０の構成例を示す図である。
【図５】本発明の実施の形態における正規化補正量テーブル４２０の構成例を示す図である。
【図６】本発明の実施の形態によるバッテリパック１００の保存状態における処理手順例を示す図である。
【符号の説明】
【００５６】
１００  バッテリパック
１１０  電源部
１１１  バッテリセル
１１２  電流検出抵抗
１１３  電源周辺回路
１１４  充電制御スイッチ
１１５  放電制御スイッチ
１２０  残容量情報供給部
１２１  残容量補正部
１２２  温度センサー
１２３  残容量保持部
１２４  補正量テーブル
１２５  累積補正量保持部
１２６  タイマー
１３０  電源側通信部
２００  ビデオカメラ
２１０  表示部
２２０  残時間算出部
２３０  装置側通信部
４１０  単位補正量テーブル
４２０  正規化補正量テーブル
【図１】
2007240182.tif 000003
【図２】
2007240182.tif 000004
【図３】
2007240182.tif 000005
【図４】
2007240182.tif 000006
【図５】
2007240182.tif 000007
【図６】
2007240182.tif 000008